(57)【要約】【課題】リボンユニットの廃棄時にボビン端部ユニットからＲＦタグを容易に取り外すこと。【解決手段】インクリボン用ボビンの組み合わせ体１Ａは一対のインクリボン用ボビン１０、２０を備え、供給側ボビン１０はその端部１０ｂに突起部１２ａを含む駆動ギア１２を有する。巻取側ボビン２０はその端部２０ａに挿入されたボビン端部ユニット３０を有する。ボビン端部ユニット３０の収納空間３３内にＲＦタグ２５が収納され、収納空間３３は蓋体３５により密閉される。蓋体３５に駆動ギア１２の突起部１２ａと係合して蓋体３５を取り外す係合穴３５ａが形成されている。【選択図】図３
2020152008.tif 000002
【特許請求の範囲】
【請求項１】
一端部に突起部を有し、他端部にボビン端部ユニットを有する円筒状のボビン本体を備え、
前記ボビン端部ユニットに外側に向かう開口を有する収納空間が形成され、前記収納空間内にＲＦタグが配置され、前記ボビン端部ユニットに、前記開口を密閉する蓋体が装着され、前記蓋体または前記ボビン端部ユニットに、前記ボビン本体の前記突起部が係合して、前記蓋体を前記ボビン端部ユニットから取り外す係合部を設けた、インクリボン用ボビン。
【請求項２】
前記ボビン本体の前記突起部は、駆動ギアの一部を構成する、請求項１記載のインクリボン用ボビン。
【請求項３】
一対のインクリボン用ボビンを備えたインクリボン用ボビンの組み合わせ体において、
一方のインクリボン用ボビンは一端部に突起部を有する円筒状の一方のボビン本体を備え、
他方のボビンは一端部にボビン端部ユニットを有する円筒状の他方のボビン本体を備え、
前記ボビン端部ユニットに外側に向かう開口を有する収納空間が形成され、前記収納空間内にＲＦタグが配置され、前記ボビン端部ユニットに、前記開口を密閉する蓋体が装着され、前記蓋体または前記ボビン端部ユニットに、前記ボビン本体の前記突起部が係合して、前記蓋体を前記ボビン端部ユニットから取り外す係合部を設けた、インクリボン用ボビンの組み合わせ体。
【請求項４】
前記一方のボビンの前記突起部は、駆動ギアの一部を構成する、請求項３記載のインクリボン用ボビンの組み合わせ体。
【請求項５】
一端部に突起部を有し、他端部にボビン端部ユニットを有する円筒状のボビン本体を備え、
前記ボビン端部ユニットに外側に向かう開口を有する収納空間が形成され、前記収納空間内にＲＦタグが配置され、前記ボビン端部ユニットに前記開口を密閉する蓋体が装着され、前記蓋体に易破断線が形成されている、インクリボン用ボビン。
【発明の詳細な説明】
【技術分野】
【０００１】
本発明は、インクリボン用ボビンおよびインクリボン用ボビン組み合わせ体に関する。
【背景技術】
【０００２】
インクリボン（熱転写シート）を用いて、受像シートなどの被転写体に文字や画像等を印字する熱転写プリンタが、広く普及している。インクリボンは、帯状に延びるリボン（支持層）と、リボン上に形成され、染料等を含んだインク層と、を有している。このようなインクリボンは、供給側ボビンに巻き付けられ、使用済みのインクリボンが巻取側ボビンに巻き取られてリボンユニットを構成し、このリボンユニットは熱転写プリンタに取り付けられている。
【０００３】
ところでリボンユニットの供給側ボビンおよび巻取側ボビンは、いずれも一対の端部をもつ円筒状のボビン本体を含み、熱転写プリンタの支持部に支持される。また供給側ボビンおよび巻取側ボビンのいずれかに、印画サイズやロット情報を含むＲＦタグが取り付けられている。このＲＦタグは、ＲＦＩＤシステムにおけるメモリが内蔵された記憶媒体であり、情報が埋め込まれたＲＦタグと、プリンタに設置されたリーダーライタの間で近距離の無線通信によって情報をやりとりするものであり、ＲＦタグは内部にアンテナやＩＣなどを有し、結果として金属部分を含んでいる。
【先行技術文献】
【特許文献】
【０００４】
【特許文献１】特開２０１６−２１００７４号公報
【発明の概要】
【発明が解決しようとする課題】
【０００５】
ところで、リボンユニットは使用後に廃棄されるが、この場合、供給側ボビンまたは巻取側ボビンからこの金属部分を含むＲＦタグを容易に取り外すことができれば、金属部分を含むＲＦタグと合成樹脂含むリボンユニットの他の部分を分別後にリボンユニットを廃棄することができて都合がよい。
【０００６】
本開示は、このような点を考慮してなされたものであり、リボンユニットの廃棄時にインクリボン用ボビンからＲＦタグを容易に取り外すことができるインクリボン用ボビンおよびインクリボン用ボビンの組み合わせ体を提供することを目的とする。
【課題を解決するための手段】
【０００７】
本開示は、一端部に突起部を有し、他端にボビン端部ユニットを有する円筒状のボビン本体を備え、前記ボビン端部ユニットに外側に向かう開口を有する収納空間が形成され、前記収納空間内にＲＦタグが配置され、前記ボビン端部ユニットに、前記開口を密閉する蓋体が装着され、前記蓋体または前記ボビン端部ユニットに、前記ボビン本体の前記突起部が係合して、前記蓋体を前記ボビン端部ユニットから取り外す係合部を設けた、インクリボン用ボビンである。
【０００８】
本開示は、前記ボビン本体の前記突起部は、駆動ギアの一部を構成する、インクリボン用ボビンである。
【０００９】
本開示は、一対のインクリボン用ボビンを備えたインクリボン用ボビンの組み合わせ体において、一方のインクリボン用ボビンは一端部に突起部を有する円筒状の一方のボビン本体を備え、他方のボビンは一端部にボビン端部ユニットを有する円筒状の他方のボビン本体を備え、前記ボビン端部ユニットに外側に向かう開口を有する収納空間が形成され、前記収納空間内にＲＦタグが配置され、前記ボビン端部ユニットに、前記開口を密閉する蓋体が装着され、前記蓋体または前記ボビン端部ユニットに、前記ボビン本体の前記突起部が係合して、前記蓋体を前記ボビン端部ユニットから取り外す係合部を設けた、インクリボン用ボビンの組み合わせ体である。
【００１０】
本開示は、前記一方のボビンの前記突起部は、駆動ギアの一部を構成する、インクリボン用ボビンの組み合わせ体である。
【００１１】
本開示は、一端部に突起部を有し、他端部にボビン端部ユニットを有する円筒状のボビン本体を備え、前記ボビン端部ユニットに外側に向かう開口を有する収納空間が形成され、前記収納空間内にＲＦタグが配置され、前記ボビン端部ユニットに前記開口を密閉する蓋体が装着され、前記蓋体に易破断線が形成されている、インクリボン用ボビンである。
【発明の効果】
【００１２】
本開示によれば、リボンユニットの廃棄時にインクリボン用ボビンからＲＦタグを容易に外すことができる。
【図面の簡単な説明】
【００１３】
【図１】図１は第１の実施の形態によるリンクリボン用ボビンの組み合わせ体を示す平面図。
【図２】図２は第１の実施の形態によるリンクリボン用ボビンの組み合わせ体を示す側面図。
【図３】図３は第１の実施の形態によるリンクリボン用ボビンの組み合わせ体を示す分解図。
【図４】図４は第１の実施の形態によるリボンユニットを示す平面図。
【図５Ａ】図５Ａはインクリボン用ボビンに設けられたボビン端部ユニットを示す断面図。
【図５Ｂ】図５Ｂは供給側ボビンの駆動ギアを示す断面図。
【図６】図６は第２の実施の形態によるリンクリボン用ボビンの組み合わせ体を示す平面図。
【図７】図７は第２の実施の形態によるリボンユニットを示す平面図。
【図８】図８は第３の実施の形態によるインクリボン用ボビンに設けられたボビン端部ユニットを示す斜視図。
【図９】図９は第４の実施の形態によるインクリボン用ボビンに設けられたビン端部ユニットを示す斜視図。
【発明を実施するための形態】
【００１４】
＜第１の実施の形態＞
以下、図面を参照して本発明の第１の実施の形態について説明する。
【００１５】
図１乃至図５は、本開示の第１の実施の形態を示す図である。
【００１６】
まず図４により熱転写プリンタ５０に装着されたリボンユニット１について説明する。
【００１７】
リボンユニット１は、供給側ボビン１０と、巻取側ボビン２０とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取り付けられている。また、供給側ボビン１０と巻取側ボビン２０とからリボンユニット１が構成され、このリボンユニット１は、収納ケース２内に収納される。なお、リボンユニット１を収納する収納ケース２は必ずしも必須のものではない。
【００１８】
なお、供給側ボビン１０および巻取側ボビン２０は、インクリボン用ボビンともいい、供給側ボビン１０と、巻取側ボビン２０と、インクリボン３とにより、インクリボン用ボビンの組み合わせ体１Ａが構成される。
【００１９】
このような構成からなるリボンユニット１のうち、供給側ボビン１０は円筒状のボビン本体１０Ａを備え、ボビン本体１０Ａは一対の端部１０ａ、１０ｂを有する。
【００２０】
またボビン本体１０Ａの一方の端部１０ａは、収納ケース２の軸受２Ａにより回転可能に支持される。またボビン本体１０Ａの他方の端部１０ｂは収納ケース２の軸受２Ａにより回転可能に支持される。また、ボビン本体１０Ａの他方の端部１０ｂの端面に、熱転写プリンタ５０に内蔵された駆動軸（図示せず）に係止される複数の突起部１２ａからなる駆動ギア１２が形成されている。
【００２１】
また、巻取側ボビン２０は一対の端部２０ａ、２０ｂを有する円筒状のボビン本体２０Ａと、一方の端部２０ａに挿着され、ボビン本体２０Ａの外径より大きな外径を有するボビン端部ユニット３０とを備えている。なお、ボビン端部ユニット３０の外径はボビン本体１０Ａの外径より大きくなっている例を示したが、ボビン端部ユニット３０の外径はボビン本体１０Ａの外径と略同一でもよい。また、ボビン本体１０Ａの一方の端部１０ａにボビン端部ユニット３０が挿着された例を示したが、ボビン端部ユニット３０をボビン本体１０Ａと一体に形成してもよい。
【００２２】
この場合、巻取側ボビン２０のボビン端部ユニット３０は図５Ａに示すように中空状をなし、このボビン端部ユニット３０は軸線方向の外方から内方に向かって外径から順次小さくなる４つの部分３１ａ、３１ｂ、３１ｃ、３１ｄを含む。
【００２３】
またボビン端部ユニット３０のうち、外径が最も大きな部分３１ａは外方に向かって開口し、内部に形成された収納空間３３を有する。また、このボビン端部ユニット３０の収納空間３３は、部分３１ａと部分３１ｂとの間に形成された区画壁３６により、ボビン端部ユニット３０の内部との間が区画されている。
【００２４】
またボビン端部ユニット３０の収納空間３３には、後述するＲＦタグ２５が収納される。そしてこの収納空間３３はボビン端部ユニット３０の外径が最も大きな部分３１ａに蓋体３５を嵌め込むことにより密閉される。
【００２５】
ところでボビン端部ユニット３０の蓋体３５には、図３に示すように、複数の係合穴（係合部）３５ａが設けられている。この蓋体３５の係合穴３５ａには、上述した供給側ボビン１０の駆動ギア１２の突起部１２ａが係合可能となっており、供給側ボビン１０の駆動ギア１２の突起部１２ａを蓋体３５の係合穴３５ａ内に挿入することで、供給側ボビン１０の駆動ギア１２を用いて、ボビン端部ユニット３０の蓋体３５を容易に取り外すことができる。そしてリボンユニット１の廃棄時にボビン端部ユニット３０から蓋体３５を取り外した後、ボビン端部ユニット３０の収納空間３３内からＲＦタグ２５を外方へ取り出すことができる。
【００２６】
また巻取側ボビン２０のボビン本体２０Ａの一方の端部２０ａに設けられたボビン端部ユニット３０のうち、最も外径が小さい部分３１ｄは、上述のように一方の端部２０ａ内に挿入され、次に外径が小さい部分３１ｃは、収納ケース２の軸受２Ａにより回転可能に支持される。
【００２７】
またボビン本体２０Ａの他方の端部２０ｂは収納ケース２の軸受２Ａにより回転可能に支持されるとともに、他方の端部２０ｂの端面に、熱転写プリンタ５０に内蔵された駆動軸（図示せず）に係止される複数の突起部２２ａからなる駆動ギア２２が形成されている。また、ボビン本体２０Ａの他方の端部２０ｂに係合板２８が設けられ、この係合板２８は収納ケース２に係合される。
【００２８】
ところで、ＲＦタグ２５は全体として薄い円盤状をなし、リボンユニット１の廃棄時に巻取用ボビンから取り出すことが求められている。この場合、ロット情報としては、リボンユニット１のロット番号、品種情報、画面サイズ、総画面数を含む。またＲＦタグ２５は、その他インクリボン３の残量情報を含む。
【００２９】
次にこのような構成からなる本実施の形態の作用について説明する。
【００３０】
まずインクリボン３が巻付けられた供給側ボビン１０と、巻取側ボビン２０とを準備する。この場合、インクリボン３はタッチローラを用いて、供給側ボビン１０に押付けられて巻付けられる。また供給側ボビン１０と巻取側ボビン２０とによりインクリボン用ボビンの組み合わせ体１Ａが構成される。
【００３１】
次に供給側ボビン１０と巻取側ボビン２０とを収納ケース２内に装着し、このようにして収納ケース２と、インクリボン３が巻付けられた供給側ボビン１０および巻取側ボビン２０とを有するリボンユニット１が得られる。
【００３２】
次にリボンユニット１は熱転写プリンタ５０の装着部５０Ａに装着される。上述のように、収納ケース２は必ずしも設ける必要はなく、供給側ボビン１０と巻取側ボビン２０を熱転写プリンタ５０の装着部５０Ａに直接装着してもよい。
【００３３】
次に巻取側ボビン２０が図示しない熱転写プリンタ５０側の駆動機構および駆動ギア２２により駆動され、供給側ボビン１０に対して図示しない熱転写プリンタ５０側の駆動機構および駆動ギア１２からブレーキがかけられる。このようにして供給側ボビン１０に巻付けられていたインクリボン３が巻取側ボビン２０により張力がかけられた状態で供給される。次に供給側ボビン１０と巻取側ボビン２０との間に延びるインクリボン３がサーマルヘッド（図示せず）により加熱され、インクリボン３のインクが受像シート（図示せず）に転写され、このようにして熱転写作業が行なわれる。
【００３４】
この間、熱転写プリンタ５０側に設けられたタグリーダによりＲＦタグ２５内のロット情報等が読み取られる。
【００３５】
タグリーダにより読み取られたロット情報は、制御部５へ送られる。
【００３６】
熱転写作業が終了した後、熱転写プリンタ５０からリボンユニット１が取外され、さらにリボンユニット１から供給側ボビン１０、巻取側ボビン２０およびインクリボン３が取外される。次に巻取側ボビン２０の端部２０ａに取り付けられたボビン端部ユニット３０からＲＦタグ２５が取り外され、主として合成樹脂からなる供給側ボビン１０、巻取側ボビン２０およびインクリボン３と、金属部分を含むＲＦタグ２５が分別され、主として合成樹脂からなる供給側ボビン１０、巻取側ボビン２０およびインクリボン３と、金属部分を含むＲＦタグ２５は別々に廃棄される。
【００３７】
巻取側ボビン２０側に設けられたボビン端部ユニット３０内からＲＦタグ２５を取り出す場合、まず巻取側ボビン２０と供給側ボビン１０とを引き離し、供給側ボビン１０の他方の端部１０ｂに設けられた駆動ギア１２の突起部１２ａをボビン端部ユニット３０の蓋体３５に設けられた係合穴３５ａ内に係合させる。
【００３８】
次に供給側ボビン１０の端部１０ｂをボビン端部ユニット３０から引き離し、ボビン端部ユニット３０から蓋体３５を取り外す。
【００３９】
あるいは、また別の新たな巻取側ボビン２０を用い、この新たな巻取側ボビン２０の他方の端部２０ｂに設けられた駆動ギア２２の突起部２２ａをボビン端部ユニット３０の蓋体３５に設けられた係合穴３５ａ内に係合させて蓋体３５を取り外してもよい。
【００４０】
次にボビン端部ユニット３０の収納空間３３内に収納されているＲＦタグ２５を外方へ取り出す。このようにして、ボビン端部ユニット３０からＲＦタグ２５を容易に取り出すことができる。
【００４１】
以上のように本実施の形態によれば、リボンユニット１の廃棄時にボビン端部ユニット３０からＲＦタグ２５を容易に取り出すことができる。
【００４２】
＜第２の実施の形態＞
次に図６および図７により、本開示の第２の実施の形態について説明する。
【００４３】
なお、図６および図７に示す第２の実施の形態において、図１乃至図５Ｂに示す第１の実施の形態と同一部分には同一符号を付して詳細な説明は省略する。
【００４４】
リボンユニット１は、供給側ボビン１０と、巻取側ボビン２０とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取り付けられている。また、供給側ボビン１０と巻取側ボビン２０とからリボンユニット１が構成され、このリボンユニット１は、収納ケース２内に収納される。なお、リボンユニット１を収納する収納ケース２は必ずしも必須のものではない。
【００４５】
なお、供給側ボビン１０および巻取側ボビン２０は、インクリボン用ボビンともいい、供給側ボビン１０と、巻取側ボビン２０とインクリボン３とにより、インクリボン用ボビンの組み合わせ体１Ａが構成される。
【００４６】
このような構成からなるリボンユニット１のうち、供給側ボビン１０は円筒状のボビン本体１０Ａを備え、ボビン本体１０Ａは一対の端部１０ａ、１０ｂを有する。
【００４７】
またボビン本体１０Ａの一方の端部１０ａ内にはボビン端部ユニット３０が挿着され、ボビン本体１０Ａの他方の端部１０ｂは収納ケース２の軸受２Ａにより回転可能に支持される。またボビン本体１０Ａの他方の端部１０ｂの端面に、熱転写プリンタ５０に内蔵された駆動軸（図示せず）に係止される複数の突起部１２ａからなる駆動ギア１２が形成されている。
【００４８】
また巻取側ボビン２０は一対の端部２０ａ、２０ｂを有する円筒状のボビン本体２０Ａを備え、一方の端部２０ａには収納ケース２の軸受２Ａに回転可能に支持された回転軸２３が取り付けられ、またボビン本体２０Ａの他方の端部２０ｂには内部に駆動ギア２７ａを有するギアボックス２７が設けられている。ギアボックス２７の駆動ギア２７ａは、熱転写プリンタ５０に内蔵された駆動軸（図示せず）に係合する。
【００４９】
また巻取側ボビン２０のボビン本体２０Ａの他方の端部２０ｂには、ギアボックス２７より中央側に、係合板２８が取り付けられている。ボビン本体２０Ａの他方の端部２０ｂは、収納ケース２の軸受２Ａに回転可能に支持され、またボビン本体２０Ａの係合板２８は、収納ケース２に係止される。
【００５０】
ところで供給側ボビン１０のボビン本体１０Ａの一方の端部１０ａに取り付けられたボビン端部ユニット３０は、中空状をなしている。
【００５１】
このボビン端部ユニット３０は軸線方向の外方から内方へ向かって外径から順次小さくなる４つの部分３１ａ、３１ｂ、３１ｃ、３１ｄを含み、部分３１ｃと部分３１ｄとの間に係合板３７が設けられている。
【００５２】
また第１の実施の形態と同様に、ボビン端部ユニット３０のうち、外径が最も大きな部分３１ａは外方に向かって開口し、内部に形成された収納空間３３を有する。また、このボビン端部ユニット３０の収納空間３３は、部分３１ａと部分３１ｂとの間に形成された区画壁３６により、ボビン端部ユニット３０の内部との間が区画されている（図５Ａ参照）。
【００５３】
またボビン端部ユニット３０の収納空間３３には、ＲＦタグ２５が収納される。そしてこの収納空間３３はボビン端部ユニット３０の外径が最も大きな部分３１ａに蓋体３５を嵌め込むことにより密閉される。
【００５４】
ところでボビン端部ユニット３０の蓋体３５には、図３に示すように、複数の係合穴（係合部）３５ａが設けられている。この蓋体３５の係合穴３５ａには、別の新たな供給側ボビン１０の駆動ギア１２の突起部１２ａが係合可能となっており、別の新たな供給側ボビン１０の駆動ギア１２の突起部１２ａを蓋体３５の係合穴３５ａ内に挿入することで、この新たな供給側ボビン１０の駆動ギア１２を用いて、ボビン端部ユニット３０の蓋体３５を容易に取り外すことができる。そしてリボンユニット１の廃棄時にボビン端部ユニット３０から蓋体３５を取り外した後、ボビン端部ユニット３０の収納空間３３内からＲＦタグ２５を外方へ取り出すことができる。
【００５５】
ところで供給側ボビン１０のボビン本体１０Ａの一方の端部１０ａに設けられたボビン端部ユニット３０のうち、部分３１ｂと係合板３７との間の部分３１ｃは、収納ケース２の軸受２Ａにより回転可能に支持される。
【００５６】
＜第３の実施の形態＞
次に図８により本開示の第３の実施の形態について説明する。
【００５７】
図８に示す第３の実施の形態は、巻取側ボビン２０に設けられたボビン端部ユニット３０（第１の実施の形態）、または供給側ボビン１０に設けられたボビン端部ユニット３０（第２の実施の形態）の構成が異なるのみであり、他の構成は図１乃至図５Ｂに示す第１の実施の形態、あるいは図６および図７に示す第２の実施の形態と略同一である。
【００５８】
図８に示す第３の実施の形態において、図１乃至図５Ｂに示す第１の実施の形態、あるいは図６および図７に示す第２の実施の形態と同一部分には同一符号を付して詳細な説明は省略する。
【００５９】
図８において、ボビン端部ユニット３０は中空状をなし、ボビン端部ユニット３０は軸線方向の外方から内方に向かって外径が順次小さくなる４つの部分３１ａ、３１ｂ、３１ｃ、３１ｄを含む。
【００６０】
またボビン端部ユニット３０のうち、外径が最も大きな部分３１ａは外方に向かって開口し、内部に形成された収納空間３３を有する。また、このボビン端部ユニット３０の収納空間３３は、部分３１ａと部分３１ｂとの間に形成された区画壁３６により、ボビン端部ユニット３０の内部との間が区画されている。
【００６１】
またボビン端部ユニット３０の収納空間３３には、ＲＦタグ２５が収納される。そしてこの収納空間３３はボビン端部ユニット３０の外径が最も大きな部分３１ａに蓋体３５を嵌め込むことにより密閉される。
【００６２】
さらにまたボビン端部ユニット３０の蓋体３５には、放射線状にハーフカット線またはミシン目線等からなる３〜８本、例えば６本の易破断線３８が設けられている。
【００６３】
ボビン端部ユニット３０の収納空間３３からＲＦタグ２５を取り出す場合、ボビン端部ユニット３０の蓋体３５の中央部を外方から押圧する。このことにより蓋体３５を易破断線３８に沿って破断することができ、破断された蓋体３５をボビン端部ユニット３０から取り除き、収納空間３３のＲＦタグ２５を取り出すことができる。
【００６４】
＜第４の実施の形態＞
次に図９により本開示の第４の実施の形態について説明する。
【００６５】
図９に示す第４の実施の形態は、巻取側ボビン２０に設けられたボビン端部ユニット３０（第１の実施の形態）、または供給側ボビン１０に設けられたボビン端部ユニット３０（第２の実施の形態）の構成が異なるのみであり、他の構成は図１乃至図５Ｂに示す第１の実施の形態、あるいは図６および図７に示す第２の実施の形態と略同一である。
【００６６】
図９に示す第４の実施の形態において、図１乃至図５Ｂに示す第１の実施の形態、あるいは図６および図７に示す第２の実施の形態と同一部分には同一符号を付して詳細な説明は省略する。
【００６７】
図９において、ボビン端部ユニット３０は中空状をなし、ボビン端部ユニット３０は軸線方向の外方から内方に向かって外径が順次小さくなる４つの部分３１ａ、３１ｂ、３１ｃ、３１ｄを含む。
【００６８】
またボビン端部ユニット３０のうち、外径が最も大きな部分３１ａは外方に向かって開口し、内部に形成された収納空間３３を有する。また、このボビン端部ユニット３０の収納空間３３は、部分３１ａと部分３１ｂとの間に形成された区画壁３６により、ボビン端部ユニット３０の内部との間が区画されている。
【００６９】
またボビン端部ユニット３０の収納空間３３には、ＲＦタグ２５が収納される。そしてこの収納空間３３はボビン端部ユニット３０の外径が最も大きな部分３１ａに蓋体３５を嵌め込むことにより密閉される。
【００７０】
さらにまた、ボビン端部ユニット３０の最も外径が大きい部分３１ａには、その軸線方向外方の周縁に係合溝（係合部）３９が設けられている。
【００７１】
このボビン端部ユニット３０の係合溝３９には供給側ボビン１０の駆動ギア１２の突起部１２ａ、あるいは巻取側ボビン２０の駆動ギア２２の突起部２２ａが係合可能となっている。このためボビン端部ユニット３０の係合溝３９内に供給側ボビン１０の駆動ギア１２の突起部１２ａ、あるいは巻取側ボビン２０の駆動ギア２２の突起部２２ａを係合させ、これら突起部１２ａあるいは突起部２２ａによりボビン端部ユニット３０から蓋体３５を取り外すことができ、このことによりボビン端部ユニット３０の収納空間３３内からＲＦタグ２５を取り出すことができる。
【符号の説明】
【００７２】
１  リボンユニット
１Ａ  インクリボン用ボビンの組み合わせ体
２  収納ケース
２Ａ  軸受
３  インクリボン
１０  供給側ボビン
１０Ａ  ボビン本体
１０ａ、１０ｂ  端部
１２  駆動ギア
１２ａ  突起部
１３  開口
２０  巻取側ボビン
２０Ａ  ボビン本体
２０ａ、２０ｂ  端部
２２  駆動ギア
２２ａ  突起部
２３  回転軸
２５  ＲＦタグ
３０  ボビン端部ユニット
３３  収納空間
３５  蓋体
３５ａ  係合穴
３７  係合板
３９  係合溝
５０  熱転写プリンタ
５０Ａ  装着部
【図１】
2020152008.tif 000003
【図２】
2020152008.tif 000004
【図３】
2020152008.tif 000005
【図４】
2020152008.tif 000006
【図５Ａ】
2020152008.tif 000007
【図５Ｂ】
2020152008.tif 000008
【図６】
2020152008.tif 000009
【図７】
2020152008.tif 000010
【図８】
2020152008.tif 000011
【図９】
2020152008.tif 000012